(57)【要約】【課題】  種籾を消毒して乾燥する施設について、種籾は消毒及び乾燥を行なった後に、出荷日まで貯蔵する必要があるが、は種籾の消毒から乾燥そして貯蔵までの作業能率を向上させることを課題とする。【解決手段】  種籾を収容した網袋（ｆ）を消毒装置（２２）で温湯に浸漬して消毒し、該消毒後に脱水装置（２３）で脱水し、該脱水後に乾燥装置（２４）で乾燥し、該乾燥後に種籾が網袋（ｆ）内に袋詰めされた状態のまま複数個ずつ収容容器（ｇ）に収容されて貯蔵庫（２８）に貯蔵することを特徴とする種籾消毒乾燥システムとする。【選択図】  図１
2008005800.tif 000002
【特許請求の範囲】
【請求項１】
種籾を収容した網袋（ｆ）を消毒装置（２２）で温湯に浸漬して消毒し、該消毒後に脱水装置（２３）で脱水し、該脱水後に種籾乾燥装置（２４）で乾燥し、該乾燥後の網袋（ｆ）を複数個ずつ収容容器（ｇ）に収容して貯蔵庫（２８）に貯蔵することを特徴とする種籾消毒乾燥システム。
【発明の詳細な説明】
【技術分野】
【０００１】
本発明は、種籾を消毒して乾燥する施設に関するものである。
【背景技術】
【０００２】
特許文献１には、網袋に籾を収容して消毒装置で温湯に浸漬する技術が記載されている。
【特許文献１】特開２００１−２９８１５号公報
【発明の開示】
【発明が解決しようとする課題】
【０００３】
種籾は消毒及び乾燥を行なった後に、出荷日まで貯蔵する必要がある。本発明は種籾の消毒から乾燥そして貯蔵までの作業能率を向上させることを課題とする。
【課題を解決するための手段】
【０００４】
本発明は、上記課題を解決するために以下のような技術的手段を講じた。
すなわち、請求項１記載の発明は、種籾を収容した網袋（ｆ）を消毒装置（２２）で温湯に浸漬して消毒し、該消毒後に脱水装置（２３）で脱水し、該脱水後に種籾乾燥装置（２４）で乾燥し、該乾燥後の網袋（ｆ）を複数個ずつ収容容器（ｇ）に収容して貯蔵庫（２８）に貯蔵することを特徴とする種籾消毒乾燥システムとする。
【発明の効果】
【０００５】
本願発明によると、消毒、脱水、乾燥及び貯蔵までの工程を袋単位で行なうため、作業能率が良い種籾の消毒脱水乾燥工程を行なうことができる。また、消毒脱水乾燥工程の種籾を貯蔵庫（２８）に貯蔵する作業や、貯蔵後の出荷工程では収容容器（ｇ）単位で運搬できるので、作業者が直接種籾に触れることなく種籾の品質を低下させることを防止することができる。
【発明を実施するための最良の形態】
【０００６】
発明を実施するための最良の形態として、同じ建屋内に荷受した通常の籾を乾燥して調製処理する乾燥調製部と荷受した種籾から整粒を選別して取り出す粗選選別部と、種籾消毒乾燥部とを備えた穀粒処理施設に実施した場合について説明する。
【０００７】
建屋Ａ内には乾燥調製部Ｂと種籾粗選選別部Ｃと種籾消毒乾燥部Ｄとを並列して備えている。
乾燥調製部Ｂは通常の籾を荷受する荷受ホッパ１と、複数の穀粒乾燥機２と、搬送コンベア３と、籾摺装置４と、集塵室５と、籾殻庫６とを備えている。
【０００８】
種籾粗選選別部Ｃは、種籾用の籾を荷受する種籾用荷受ホッパ１０と、荷受した種籾に混じる藁屑を除去する粗選機１１と、枝梗を取り除く脱芒機１２と、一定以上の大きさの籾を取り出す粒選別機１３と、籾から脱ぷ粒や枝梗付き籾を取り除き整粒を取り出す精選機１４と、整粒から未熟粒を選別除去する比重選別機１５と、整粒の種籾を保管する種籾収容タンク１６を備えている。
【０００９】
また、種籾消毒乾燥部Ｄは、種籾収容タンク１６内の種籾を網袋ｆに設定量ずつ供給する計量装置２０と、種籾を収容した網袋ｆを搬送する網袋搬送装置２１と、温湯に網袋ｆを浸漬して種籾を消毒する消毒装置２２と、消毒装置２２で浸漬した網袋ｆを脱水する脱水装置２３と、脱水装置２３で脱水した網袋ｆを乾燥する種籾乾燥装置２４と、種籾乾燥装置２４で乾燥された複数の網袋ｆを紙袋ｇに収容する紙袋収容部２５と、複数の網袋ｆを収容した紙袋ｇの開口部を袋綴じする袋綴じ部２７と、袋綴じされた紙袋ｇを低温貯蔵する貯蔵庫２８とを備えている。
【００１０】
網袋搬送装置２１は平面視で周回するレール２１ａと、網袋ｆを吊り下げてレール２１ａに沿って移動するクレーン２１ｂとを備えている。
レール２１ａの下方には温湯を収容する消毒装置２２と遠心力で脱水容器２３ａが縦軸芯に回転する脱水装置２３とを隣接して備え、脱水装置２３に隣接して種籾乾燥装置２４を備えている。
【００１１】
種籾乾燥装置２４は内部に格子状の網袋搬送コンベア３０が貫通されており、網袋ｆの供給側と排出側にはそれぞれ網袋ｆの作用で開くと共に網袋ｆが通過すると自動に閉じる供給側開閉扉３１と排出側開閉扉３２を設けている。また、乾燥風発生装置２４ａを種籾乾燥装置２４の下部に設け、乾燥風送り出し装置２４ｂを種籾乾燥装置２４の上部に設けている。
【００１２】
網袋搬送コンベア３０の終端側は紙袋収容部２５の上方に対向する構成とし、紙袋収容部２５と紙袋搬送部２６はそれぞれ別駆動の紙袋収容部コンベア２５ａと紙袋搬送部コンベア２６ａで構成している。そして、紙袋搬送部２６の搬送途中には袋綴じ装置２７を備え、紙袋搬送部２６の搬送終端部は貯蔵庫２８の出し入れ部２８ａに対向する構成である。
【００１３】
次に乾燥調製部Ｂと種籾粗選選別部Ｃと種籾消毒乾燥部Ｄの配置構成について説明する。
建屋Ａの一側に荷受部ｍを設け、他側に出荷部ｎを設け、荷受部ｍには荷受ホッパ１と、荷受ホッパ１の近傍に種籾用荷受ホッパ１０を設けている。荷受ホッパ１から出荷部ｎに向かって搬送コンベア３を設け、搬送コンベア３に沿って穀粒乾燥機２を複数並列して設けている。搬送コンベア３の搬送終端側には籾摺機投入エレベータ７を設け、その排出側には一時貯留タンク８と籾摺装置４と粒選別機９を設けている。
【００１４】
なお、４０は玄米揚穀エレベータで４１は出荷用貯留タンク、４２は出荷用計量袋詰め装置である。そして、出荷用計量袋詰め装置４２は出荷部ｎに面している。
種籾用荷受けホッパ１０からは出荷部ｎに向かって粗選機１１、脱芒機１２、粒選別機１３、精選機１４、比重選別機１５、種籾収容タンク１６を備え装置同士は搬送経路で結ばれている。種籾収容タンク１６は出荷部ｎに面している。
【００１５】
種籾収容タンク１６の下方には計量装置２０を設け、出荷部ｎから荷受部ｍに向かって消毒装置２２と、脱水装置２３と、種籾乾燥装置２４を備えている。そして、種籾乾燥装置２４を通過した網袋搬送コンベア３０は荷受部ｍ側から出荷部ｎ側に旋回し、その搬送終端側に紙袋収容部２５を設け、さらに出荷部ｎ側に向かって紙袋搬送部２６を設け、その搬送終端側に貯蔵庫２８を設け、貯蔵庫２８は出荷部ｎに面する配置構成である。
【００１６】
次に種籾粗選選別部Ｃと種籾消毒乾燥部Ｄの作用について説明する。
種籾粗選選別部Ｃの作用について説明すると、種籾用荷受けホッパ１０で荷受した種籾は粗選機１１により藁屑等の長尺物が除去され、脱芒機１２により枝梗を取り除から、粒選別機１３により一定以上の大きさの籾を選別され、精選機１４により脱ぷ粒や枝梗付き籾を精選され、比重選別機１５により未熟粒を選別除去されて種籾収容タンク１６に収容される。
【００１７】
種籾消毒乾燥部Ｄの作用について以下説明する。
計量装置２０の網袋ｆのセット場所に網袋ｆをセットし、設定量ずつ網袋ｆに種籾収容タンク１６内の籾を供給する。網袋搬送装置２１のクレーン部２１ｂに吊り上げられた種籾入りの網袋Ｇはレール部２１ａに沿って搬送され、消毒装置２２の上方で停止して、種籾入りの網袋Ｇはクレーン部２１ｂに吊り下げられた状態で消毒装置２２内の温湯（例えば約６０度）に設定時間（例えば１０分）浸漬されて消毒される。消毒された網袋ｆはクレーン部２１ｂで吊り上げられてレール部２１ａに沿って搬送され脱水装置２３内に収容される。そして、脱水された網袋ｆはクレーン部２１ｂで再度吊り上げられて網袋搬送コンベア３０の搬送始端部まで搬送される。網袋搬送コンベア３０の搬送始端部に網袋ｆ載置するとクレーン部２１ｂは網袋ｆを離して再度計量装置２０側に戻る。
【００１８】
網袋搬送コンベア３０は設定速度で駆動し、網袋ｆは供給側開閉扉３１を開けて種籾乾燥装置２１内に入り込み、乾燥風発生装置２４ａからの乾燥風が格子状の網袋搬送コンベア３０を通過して網袋ｆ内の籾に作用される。なお、網袋ｆは種籾乾燥装置２１内で反転部材（図示せず）で上下を反転させて均一に種籾を乾燥させる構成としても良い。乾燥風に作用されながら少しずつ排出側に移動した網袋ｆは排出側開閉扉３２を開けて種籾乾燥装置２１の外側に搬送される。そして、網袋搬送コンベア３０の搬送終端側まで搬送された網袋ｆは紙袋収容部２５に載置している紙袋ｇに落下投入される。なお、網袋搬送コンベア３０には網袋ｆの個数をカウントするカウント装置５０を設け、設定個数ずつ網袋を紙袋ｇに投入する構成としている。紙袋ｇ内に設定個数の網袋ｆが投入されることを検出すると紙袋収容部コンベア２５ａが設定時間駆動して紙袋ｇを紙袋搬送部コンベア２６ａに搬送する。その後紙袋収容部コンベア２５ａは停止して次の紙袋ｇがセットされる。紙袋搬送部コンベア２６ａで搬送される紙袋ｇは搬送途中で袋綴じ装置２７により開口部を綴じられて紙袋搬送部コンベア２６ａの搬送終端部まで搬送される。そして、貯蔵庫２２に貯蔵され、必要に応じて出荷部ｎから出荷される。
【００１９】
本実施の形態では、種籾を温湯に浸漬して消毒する消毒装置２２と、該消毒装置で温湯に浸漬した種籾を脱水する脱水装置２３と、脱水装置２３で脱水された種籾を乾燥する種籾乾燥装置２４と、種籾乾燥装置２４で乾燥された種籾を保管する貯蔵庫２８とを備え、種籾は網袋ｆに袋詰めされ、該袋詰された網袋ｆは網袋搬送装置２１で搬送され、前記消毒装置２２と脱水装置２３と種籾乾燥装置２４に順次搬送され、種籾が網袋ｆ内に袋詰めされた状態のまま消毒、脱水、乾燥される構成とし、種籾乾燥装置２４で乾燥された種籾入り網袋ｆは複数個ずつ収容容器である紙袋Ｇに収容してから貯蔵庫２８に貯蔵する構成とした種籾消毒乾燥施設にすることで、粗選選別工程を経た種籾を消毒、脱水、乾燥及び貯蔵までの工程を袋単位で連続して行なうため、作業能率が良い種籾の消毒脱水乾燥工程を行なうことができる。また、貯蔵庫２８に貯蔵する作業や貯蔵後の出荷工程では紙袋ｇ単位で運搬できるので、作業者が直接種籾に触れることがなく、種籾の品質が低下することを防止することができる。また、紙袋単位で出荷を行なうことで出荷作業を迅速に行なうことができる。
【００２０】
また、計量装置２０で網袋には設定量ずつの種籾を収容することで、消毒、乾燥を均一に行なうことができるため、品質のバラツキが少ない種籾にすることができる。
荷受部ｍに荷受けホッパ１と種籾用荷受ホッパ２を設け、出荷部ｎに面して種籾用収容タンク１６、紙袋搬送部コンベア２６ａの搬送終端部、貯蔵庫２８と乾燥調製部Ｂの出荷用計量袋詰め装置４２をそれぞれ備えることで、籾及び種籾の荷受作業を同じ荷受場で行なうことができるため荷受け作業を行ない易くすることができる。また、玄米、ばらの種籾、紙袋ｇに収容された種籾の出荷作業をいずれも同じ出荷場で行なうことができるため出荷作業を行ない易くすることができる。
【００２１】
また、網袋ｆを吊り下げ式の搬送装置で消毒装置２２、脱水装置２３、乾燥装置２４に搬送することで、網袋ｆを把持した状態で消毒装置２２で消毒でき、かつ脱水装置２３や乾燥装置２４へは網袋ｆ離すことができるため、作業内容に適した搬送を行なうことができる。
【図面の簡単な説明】
【００２２】
【図１】種籾消毒乾燥部の工程を示す図
【図２】種籾粗選選別部Ｃと種籾消毒乾燥部Ｄの工程を示す図
【図３】乾燥調製部Ｂの工程を示す図
【図４】穀粒処理施設を平面から見た内部を示す図
【符号の説明】
【００２３】
ｆ  網袋
ｇ  収容容器（紙袋）
２２  消毒装置
２３  脱水装置
２４  種籾乾燥装置
２８  貯蔵庫
【図１】
2008005800.tif 000003
【図２】
2008005800.tif 000004
【図３】
2008005800.tif 000005
【図４】
2008005800.tif 000006